(57)【要約】【課題】        硬質の地面、または砂地、草原、雪上等の軟質の地面、または泥濘等の異なる状況の地面においても好ましい支持力が得られるローラー支持部を備えたスケートボードを提供する。【解決手段】    デッキの底面に支持装置を設けてなるスケートボードであって、該支持装置は、スケートボードのデッキに連結する本体を備えてなり、該本体は地面と接触する支持部を形成し、且つ該支持部上に支持ローラーを設けて異なる形態の地面に対応してガイドし、支持するように構成することを特徴とするスケートボード。【選択図】      図１
2006122154.tif 000002
【特許請求の範囲】
【請求項１】
デッキの底面に支持装置を設けてなるスケートボードであって、
該支持装置はスケートボードのデッキに連結する本体を備えてなり、該本体は地面と接触する支持部を形成し、且つ該支持部上に支持ローラーを設けて異なる形態の地面に対応してガイドし、支持するように構成することを特徴とするスケートボード。
【請求項２】
前記支持装置の本体は、弾性を有する構造体を備え、該本体の底面は平らな支持部とし、該支持部のスケートボードに相対する個所に複数の連結部を形成し、固定部材でローラースケートの相対する位置に本体を確実に固定することを特徴とする請求項１に記載のスケートボード。
【請求項３】
前記支持装置の本体の一体で、該支持部に近接した位置に少なくとも一組以上のガイドローラーを設け、且つ本体底部の支持部上に少なくとも一組以上の支持ローラーを設け、該ガイドローラーの回転軸の位置を該支持ローラーよりやや高くすることを特徴とする請求項１に記載のスケートボード。
【請求項４】
前記支持装置の本体の該支持ローラーに相対する個所にローラー貫通部を設け、該ローラー貫通部に連結部材を設けて、該ローラーの回転軸を収納して位置決めすることを特徴とする請求項３に記載のスケートボード。
【請求項５】
前記本体のローラー貫通部の位置にはそれぞれ連結部材と中間連結部材を設け、それぞれの連結部材の底部の中間の位置が延伸し、本体と該連結部材とが連結し、該連結部材のローラーに相対する位置にそれぞれ回転軸を貫通させる孔部を穿設し、該回転軸の両端はそれぞれ両側の連結部材の孔部を貫通し、両側の該連結部材の孔部開口端に軸カバーを設け、該軸カバーは該連結部材に向って弾性嵌着部が凸出して形成され、該軸カバーが直接該連結部材に固定されることを特徴とする請求項４に記載のスケートボード。
【請求項６】
前記中間連結部材の孔部に介在部材を設け、該介在部材は、ローラーの軸孔内に向かって一制限部が伸出し、該介在部材の中間部には帯状に凸出した係合部を形成し、該係合部が該連結フレームの貫通孔に係合することを特徴とする請求項５に記載のスケートボード。
【請求項７】
前記支持装置のそれぞれの連結部材底部に連結部を形成し、本体の対応する位置に穿設した孔部から直接ボルトを相通させて一体に連結することを特徴とする請求項５に記載のスケートボード。
【請求項８】
前記ローラーの回転軸の両端に、該回転軸が貫通するベアリング部材をそれぞれ設けることを特徴とする請求項１に記載のスケートボード。
【請求項９】
前記支持ローラーが長い軸体の構造によってなり、その表面に高い摩擦力を有する凹凸状の摩擦部を形成することを特徴とする請求項１に記載のスケートボード。
【請求項１０】
デッキの底面に方向転換装置と、調整手段と、支持装置を設けてなるローラースケートにおいて、該方向転換装置とローラースケートのデッキとの間に調整手段を設け、該調整手段は該スケートボードのデッキに連結する取り付け座と、該方向転換装置に連結する調整座と、該取り付け座の該調整座に相対する位置に設ける位置決め部とを備え、該位置決め部を異なる位置に固定して方向転換装置間の距離を調整するように構成することを特徴とするスケートボード。
【請求項１１】
前記調整手段の組み立て座と調整座には、位置決め部上のそれぞれに対応する位置に複数の異なる位置決め孔を形成することを特徴とする請求項１０に記載のスケートボード。
【発明の詳細な説明】
【技術分野】
【０００１】
本発明は、スケートボードに関し、特に、硬質、軟質、またはその混合タイプの地面に対応することができ、且つデッキを支持する面積を調整できる支持構造を備えたスケートボードに関するものである。
【背景技術】
【０００２】
スケートボード、またはスケートボードに類似する運動器具には多くの種類がある。一般的なスケートボードの構造は、ローラーを４つ有する４輪式構造であり、この他、類似する構造のキックボードは、前端に方向転換手段を備え、後端部に制動手段を備えたものである。これらは、いずれもローラーなどの転動体を備えており、該転動体を回転させて走行するものであるが、軟質の地面には適用することができない。軟質の地面の場合、例えばスノーボード、またはその他地面と直接接触する部分が板状に形成され、滑走するものが用いられている。
【０００３】
台湾実用新案出願第９０２１７２７２号は雪上、氷上兼用のボード構造を提供するものである。台湾特許出願第８９１０７１３２号は、雪上用の滑走器を提供するものであって、台湾実用新案出願第８４２０７８４５号は、スノーボードの改良構造を提供するものである。これら従来の技術はいずれもスノーボードとして構成されるものであって、雪上以外のその他地面には適用できない。また、台湾実用新案出願第８９２１９７５１号は、更に付加構造を備えあらゆる地面に適用する滑走ボードを提供するものであるが、該考案による滑走ボードを雪上で使用すると転動体が容易に雪に嵌り、滑走の妨げとなる。
【０００４】
アメリカ合衆国特許第４１６５０９１号は、滑走ボードの底面に別途プレート状の滑走構造を設けたものを開示する。しかし、該プレート状の滑走構造部は面積が狭いため雪上でこれを使用すると容易に雪に嵌り滑走できなくなる。従って、該特許の提供する滑走ボードは、硬質の氷上でしか使用することができない。
【０００５】
また、キャタピラを備えた構造のものが発表されている。台湾実用新案出願第８４２１６９６９号は、キャタピラを備える電動の靴を提供するものである。台湾実用新案出願第８２２１０５６６号は、多目的型のキャタピラを備えるスケート靴を提供するものである。但しキャタピラの構造が複雑であって、重量が重く使用上不便で、保守にも費用がかかる。
【０００６】
更に、現在のスケートボードは、それぞれのローラー支持部の間の距離が固定されていて、且つそれぞれのローラーの支持部のデッキを支持する面積が同一であって、その安定性と機敏性も固定的なものとなっている。従って、例えば直線上に滑走する場合の速度、または方向を転換するときの機敏性などに係る多用なニーズに対応することができない。しかも、かかるニーズに合わせて効率良く調整したり、またはローラー支持部を交換したりすることができない。
【特許文献１】台湾特許出願第８９１０７１３２号公報
【特許文献２】台湾実用新案出願第８４２０７８４５号公報
【特許文献３】台湾実用新案出願第８９２１９７５１号公報
【特許文献４】アメリカ合衆国特許第４１６５０９１号公報
【特許文献５】台湾実用新案出願第８４２１６９６９号公報
【発明の開示】
【発明が解決しようとする課題】
【０００７】
従って、本発明の課題は、硬質の地面、または砂地、草原、雪上などの軟質の地面、または混合タイプの泥濘を有する地面などのいずれにおいても好ましい支持力が得られるローラー支持部を備えるスケートボードを提供することにある。
【０００８】
また、本発明の課題は、デッキの底部と方向転換装置との間に設ける調整装置を備え、ローラー支持部のそれぞれの間の距離と、デッキを支持する面積の広さを調整することができるスケートボードを提供することにある。
【課題を解決するための手段】
【０００９】
そこで、本発明者は、従来の技術に見られる欠点に鑑み、鋭意研究を重ねた結果、デッキの底面に支持装置を設けてなり、該支持装置はスケートボードのデッキに連結する本体を有し、該本体は地面と接触する支持部を形成し、且つ該支持部上に支持ローラーを設けてなるスケートボードの構造によって課題を解決できる点に着眼し、かかる知見に基いて本発明を完成させた。
【００１０】
以下、本発明について具体的に説明する。
請求項１に記載するスケートボードは、デッキの底面に支持装置を設けてなるスケートボードであって、該支持装置は、スケートボードのデッキに連結する本体を備えてなり、該本体は地面と接触する支持部を形成し、且つ該支持部上に支持ローラーを設けて異なる形態の地面に対応してガイドし、支持するように構成したものである。
【００１１】
請求項２に記載するスケートボードは、請求項１における支持装置の本体が弾性を有する構造体を備え、該本体の底面は平らな支持部とし、該支持部のスケートボードに相対する個所に複数の連結部を形成し、固定部材でローラースケートの相対する位置に本体を確実に固定したものである。
【００１２】
請求項３に記載するスケートボードは、請求項１における支持装置の本体の一体で、該支持部に近接した位置に少なくとも一組以上のガイドローラーを設け、且つ本体底部の支持部上に少なくとも一組以上の支持ローラーを設け、該ガイドローラーの回転軸の位置を該支持ローラーよりやや高くしたものである。
【００１３】
請求項４に記載するスケートボードは、請求項３における支持装置の本体の該支持ローラーに相対する個所にローラー貫通部を設け、該ローラー貫通部に連結部材を設けて、該ローラーの回転軸を収納して位置決めをしたものである。
【００１４】
請求項５に記載するスケートボードは、請求項４における本体のローラー貫通部の位置にはそれぞれ連結部材と中間連結部材を設け、それぞれの連結部材の底部の中間の位置が延伸し、本体と該連結部材とが連結し、該連結部材のローラーに相対する位置にそれぞれ回転軸を貫通させる孔部を穿設し、該回転軸の両端はそれぞれ両側の連結部材の孔部を貫通し、両側の該連結部材の孔部開口端に軸カバーを設け、該軸カバーは該連結部材に向って弾性嵌着部が凸出して形成され、該軸カバーが直接該連結部材に固定されたものである。
【００１５】
請求項６に記載するスケートボードは、請求項５における中間連結部材の孔部に介在部材を設け、該介在部材はローラーの軸孔内に向かって一制限部が伸出し、該介在部材の中間部には帯状に凸出した係合部を形成し、該係合部が該連結フレームの貫通孔に係合させたものである。
【００１６】
請求項７に記載するスケートボードは、請求項５における支持装置のそれぞれの連結部材底部に連結部を形成し、本体の対応する位置に穿設した孔部から直接ボルトを相通させて一体に連結したものである。
【００１７】
請求項８に記載するスケートボードは、請求項１におけるローラーの回転軸の両端に、該回転軸が貫通するベアリング部材をそれぞれ設けたものである。
【００１８】
請求項９に記載するスケートボードは、請求項１における支持ローラーが長い軸体の構造によってなり、その表面に高い摩擦力を有する凹凸状の摩擦部を形成させたものである。
【００１９】
請求項１０に記載するスケートボードは、デッキの底面に方向転換装置と、調整手段と、支持装置を設けてなるローラースケートにおいて、該方向転換装置とローラースケートのデッキとの間に調整手段を設け、該調整手段は該スケートボードのデッキに連結する取り付け座と、該方向転換装置に連結する調整座と、該取り付け座の該調整座に相対する位置に設ける位置決め部とを備え、該位置決め部を異なる位置に固定して方向転換装置間の距離を調整するように構成したものである。
【００２０】
請求項１１に記載するスケートボートは、請求項１０における調整手段の組み立て座と調整座に、位置決め部上のそれぞれに対応する位置に複数の異なる位置決め孔を形成するものである。
【発明の効果】
【００２１】
本発明に係るスケートボードは、硬質の地面、または砂地、草原、雪上などの軟質の地面、または混合タイプの泥濘を有する地面などのいずれにも対応して用いることができ、実用的であるという利点を有する。
【００２２】
また、本発明に係るスケートボードは、デッキの底部と方向転換装置との間に設ける調整装置を備え、ローラー支持部のそれぞれの間の距離と、デッキを支持する面積の広さを調整することができ、使用上の必要性に応じてスケートボードの特性を変更することができるという利点を有する。
【発明を実施するための最良の形態】
【００２３】
本発明は、硬質、軟質、またはその混合タイプの地面に対応することができ、且つデッキを支持する面積を調整できる支持構造を備えたスケートボードを提供するものであって、デッキの底面に支持装置を設けてなり、該支持装置はスケートボードのデッキに連結する本体を有し、該本体は地面と接触する支持部を形成し、且つ該支持部上に支持ローラーを設けて構成するものである。
かかる構成のスケートボードについて、その構造と特徴を説明するために、具体的な実施例を挙げ、図面を参考にして以下に詳述する。
【実施例】
【００２４】
図１、２および３に開示するように、本発明によるスケートボード１０は、底面に設けられた２組の方向転換装置２０と、該方向転換装置２０の底部に設けられた支持装置３０とを含んでなる。
【００２５】
該方向転換装置２０は、方向転換座２１と、弾性ブロック２３と、支軸２２とからなり、スケートボード１０の底面にベース１１を介して設けられる。該ベース１１には、一端に支軸２２を回動自在に支持する取り付け座１１０を設け、該支軸２２は方向転換座２１を挿通して該取り付け座１１０に回動自在に支持される。またベース１１の他端には弾性ブロック収納部１１１を設け、該弾性ブロック収納部１１１と方向転換座２１との間に弾性ブロック２３を設ける。さらに、該方向転換座２１の支持装置３０に対向する一端には固定部２１１を設ける。該固定部２１１には複数の固定孔２１２を穿設し、支持装置３０の固定に供する。
【００２６】
支持装置３０は本体３１を備えてなり、該本体３１には複数の締結部材３２で方向転換装置２０を固定する。該本体３１の地面に接触する部分には複数のガイドローラー３３を設け、様々な地面に対応して使用できるように構成する。
【００２７】
該本体３１は、断面がアーチ形状を呈し、弾性を有する構造の形態を備える。本体３１の底部は平らで面積の広い支持部３１０とする。該支持部３１０には複数のローラー貫通部３１１を形成し、また支持部３１０から上方に向かってアーチ状を形成して延伸し、本体３１の上面開口に至る壁面の方向転換装置２０側の壁面には複数の貫通孔を穿設して連結部３１２とし、ボルトなどの締結部材３２を該連結部３１２から方向転換装置２０の固定孔２１２に挿通させる。
【００２８】
図４および５に開示するように、支持装置３０の本体３１の底面に形成した支持部３１０には、ガイドローラー３３を設け、該支持部３１０には別途支持ローラー３３Ａを設ける。ガイドローラー３３の回転軸の位置は支持ローラー３３Ａの位置よりやや高くする。ガイドローラー３３と支持ローラー３３Ａの下端部は、本体３１のローラー貫通部３１１を貫通し、やや突出するように構成する。ガイドローラー３３は、軸方向に貫通孔３３０を形成してなる中空の筒体であって、軸孔３３０の両端にはそれぞれベアリング部材３３１を設け、回転軸の挿入に供する。
【００２９】
ガイドローラー３３と支持ローラー３３Ａの外側面に連結部材３５を設けるとともに、ガイドローラー３３と支持ローラー３３Ａの内側面が対向する位置に中間連結部材３６を設ける。該連結部材３５と中間連結部材３６は両端縁部が長手方向に延伸し、該延伸した両端縁部に孔部を穿設して連結部３５０、３６０とする。該連結部３５０、３６０にはボルト等の締結部材を挿通させ、ナット等を利用して本体３１に該連結部材３５、中間連結部材３６を固定する。また、連結部材３５、中間連結部材３６の底面に、内壁に螺刻したネジ孔を形成して連結部３５２、３６２とし、且つ本体との該連結部３５２、３６２に対応する位置に貫通孔３１３を穿設し、ボルトなどの締結部材３９を挿通させて連結部材３５、中間連結部材３６を固定する。即ち、該連結部材３５、中間連結部材３６は、中間連結部材３６が両ローラー貫通部３１１の間に、連結部材３５がローラー貫通部３１１と本体３１の両端縁部との間に位置し、且つ該連結部材３５、及び中間連結部材３６は本体３１の底面に対して垂直に設けられる。
【００３０】
更に、該連結部材３５、中間連結部材３６には、回転軸３４が貫通する貫通孔３５１、３６１を穿設する。また、中間連結部材３６の貫通孔３６１には中空で柱状の介在部材３７を嵌挿する。該介在部材３７はガイドローラー３３、支持ローラー３３Ａの軸孔３３０内に延伸する位置制限部３７０を備えるとともに、介在部材３７の略中間の位置に、円周に沿って凸出する帯状の係合部３７１を形成し、該係合部３７１が中間連結フレーム３６の貫通孔３６１に係合する。
【００３１】
連結部材３５の貫通孔３５１を貫通した回転軸３４の両端縁部には、内壁に螺刻したネジ孔を軸方向に形成し、ボルトの形態である軸固定部材３４１を螺着する。また、連結部材３５の外側面の貫通孔３５１の開口部には軸カバー３８を設ける。軸カバー３８は連結部材３５側の外周縁がフランジ状に凸出し、且つ該凸出した部分の一部を切開して弾性を有する弾性嵌着部３８０とする。該弾性嵌着部３８０が連結部材３５の貫通孔３５１に嵌着して軸カバー３８を固定する。
【００３２】
ガイドローラー３３、支持ローラー３３Ａは、金属材からなる円筒状のローラーであって、軸方向に貫通する回転軸３４を設けてなる。支持ローラー３３Ａ、ガイドローラー３３の表面には摩擦力を高める摩擦部３３２を形成してローラーと地面とが接触した場合、転動の摩擦力を保持し、転動の作用を達成できるように構成する。
【００３３】
図４、６および７で開示するように方向転換装置２０と、スケートボード１０のデッキとの間に調整手段Ａを設ける。調整手段Ａは取り付け座４０と調整座５０とを備えてなり、取り付け座４０は、平板状の取り付け部４１を有し、スケートボード１０のデッキに取り付ける。取り付け部４１には複数の貫通孔４１０を穿設し、ボルトを該貫通孔４１０に挿通させ、ナットでローラースケート１０のデッキに固定する。また、取り付け座４０の調整座５０を設ける側に突起する位置決め部４２を設ける。該位置決め部４２には横方向に貫通する複数の位置決め孔４２０を形成する。また、調整座５０は短形の平板部の四隅に取り付け部５１０を穿設し、ベース１１の該取り付け孔５１０に対応する位置に連結孔１１２を形成し、ボルトとナットで調整座５０をベース１１に固定する。また、調整座５０の長手方向の両側縁部には耳状の位置決め部５２をそれぞれ複数形成する。該位置決め部４２には、取り付け座４０の位置決め部４２に形成した位置決め孔４２０に対応する調整孔５２０を形成し、位置決め孔４２０の一と調整孔５２０とにボルトの形態を有する固定部材３２を相通して調整座５０と取り付け座４０とを連結する。
【００３４】
スケートボード１０のデッキ底面の両端縁部に設ける調整手段Ａは、図７に開示するように調整座５０の位置を調整することによって、両調整手段Ａの間の距離を変更することができる。かかる調整によってスケートボード１０を実際に使用する上での必要に応じて支持装置３０がデッキを支持する面積を調整する事ができる。図３に開示する状態においては両調整手段Ａの間の距離が最も短く、それぞれの調整座５０に連結した方向転換装置２０の間の距離も最も短い状態である。従って、両支持装置３０が支持する面積が最小となる。かかる状態においてはスケートボードの機敏性が高まり、方向転換の操作に便利となる。また、調整座５０を前後いずれ取り付け座４０の最も外方向に近い位置に調整した場合、両支持装置３０の間の距離が長くなり支持する面積が増大する。従って、方向を転換する場合に描くカーブの半径が大きくなり、直線上の走行、または大きなカーブを描いて方向転換する場合に適用する。このようにして、使用者は実際に使用する上での異なる必要に応じて調整することができる。
【００３５】
本発明によるスケートボードは、上述する構造を備えてなり、次に掲げる効果を達成することができる。即ち、異なる状態の地面に対応することができる。図３に開示するように、本発明によるスケートボードを硬質の地面で使用する場合、それぞれのガイドローラー３３と、２本の支持ローラーが支持装置３０の本体３１から露出してローラーの外周面が地面に接触する。また、砂地、または雪上などの軟質の地面で使用する場合は、図８に開示するようにガイドローラー３３が先に本体３１をガイドして地面の凸状部を跨いで越えさせると、本体３１の支持部３１０に効率的な支持作用が発生し、且つ支持部３１０上の二本の支持ローラー３３Ａにも支持と転動の作用が発生する。このためスケートボード１０は軟質の地面の上を順調に滑走することができる。混合タイプの地面の場合は以上の機能を互いに合わせ用いる。
【００３６】
また、本発明に係るスケートボードは弾性による好ましい緩衝作用を有する。即ち、本体３１は弾性を有する板体を彎曲して形成するか、または一体成型によってアーチ状に形成する。このため、好ましい弾性を有し、地面の状況の変化、または異なる動作を行う場合に衝撃を受けると本体３１は図８に開示するように形状が変化し、スケートボード１０上の使用者の身体に伝わる衝撃の力を最小限に抑制することができる。しかもそれぞれのガイドローラー３３、支持ローラー３３Ａ及び方向転換装置２０と、本体３１との接合部はいずれも弾性的な緩衝作用を備えているため、衝撃の力を最低限に抑制することができる。従って、本発明によるスケートボードは高い安全性と実用性を備える。
【００３７】
また、本発明に係るスケートボードは、全体的な構造を自動的に調整することができる。即ち、本体３１の支持部３１０とガイドローラー３３、支持ローラー３３Ａは、一体に連結し互いに作用し合う構造となっている。換言すれば、一方が動作を行う場合、他方は該動作に合わせて弾性的に変形したり回復したりする動作を行い、自動的に調整を行ない、互いに作用し合う構造を提供する。
【００３８】
また、本発明に係るスケートボードは、機敏性を大幅に高めることができる。即ち、使用者は異なる必要に応じて調整装置Ａの支持装置３０の位置を変更することができる。従って、スケートボードに異なる特性を付与することができ、使用者の異なる必要に応じることができる。
【００３９】
以上は、本発明の好ましい実施例について説明したのであって、これにより本発明を限定するものではない。従って、当業者のなし得る修正、または変更であっても、均等の効果を奏するものは、いずれも本発明の範囲に属するものである。
【図面の簡単な説明】
【００４０】
【図１】本発明に係るスケートボードの外観を示した斜視図である。（実施例１）
【図２】図１に開示するスケートボードの底面側から見た斜視図である。
【図３】本発明に係るスケートボードを硬質の地面で使用する場合の状態を示した説明図である。
【図４】本発明に係るスケートボードにおける支持装置の部分の分解図である。
【図５】本発明に係るスケートボードにおけるローラーの分解図である。
【図６】本発明に係るスケートボードにおける調整手段の分解図である。
【図７】本発明に係るスケートボードにおける調整手段の動作を示した説明図である。
【図８】本発明に係るスケートボードの支持装置の動作を示す説明図である。
【符号の説明】
【００４１】
１０          スケートボード
１１          ベース
１１０        取り付け座
１１１        収納部
１１２        連結孔
２０          方向転換装置
２１          方向転換座
２１１        固定部
２１２        固定孔
２２          支軸
２３          弾性ブロック
３０          支持装置
３１          本体
３１０        支持部
３１１        ローラー貫通部
３１２        連結部
３１３        貫通孔
３２          締結部材
３３          ガイドローラー
３３Ａ        支持ローラー
３３２        摩擦部
３４          回転軸
３４１        軸固定部材
３５          連結部材
３６          中間連結部材
３５０，３６０      連結部
３５１，３６１      貫通孔
３５２，３６２      連結部
３７          介在部材
３７０        位置制限部
３７１        係合部
３８          軸カバー
３８０        弾性嵌着部
Ａ            調整手段
４０          取り付け座
５０          調整座
４１，５１    固定部
４１０        貫通孔
５１０        取り付け孔
４２，５２    位置決め部
４２０        位置決め孔
５２０        調整孔
【図１】
2006122154.tif 000003
【図２】
2006122154.tif 000004
【図３】
2006122154.tif 000005
【図４】
2006122154.tif 000006
【図５】
2006122154.tif 000007
【図６】
2006122154.tif 000008
【図７】
2006122154.tif 000009
【図８】
2006122154.tif 000010